(57)【特許請求の範囲】
【請求項１】
走行車輪３を備える車体１の前部にステアリングハンドル５を有する操縦部６を設け、該操縦部６の左右両側方に予備苗を載置する苗載枠２４を設け、前記車体１の後方部に苗植付部７を昇降可能に設けた乗用田植機において、走行車輪３の上側を覆うカバ−１５には、車輪３の上端より高位の上段ステップフロア１６と車輪３の上端より低位の下段ステップフロア１７と、この上下のステップフロア１６，１７間で車輪３の外周に沿うように傾斜する傾斜部１８とを備え、該傾斜部１８の上方には上段のステップフロア１６と略同一平面内において補助ステップフロア１６ａを連設し、前記苗載枠２４は上下方向に立設する前後の支持フレ−ム２５ａ，２５ｂを備える支持装置２５で車体１側から支持され、前記前後の支持フレ−ム２５ａ，２５ｂ間にはバランスウエイト３１を係止保持するためのウエイト係止板３２を、前記下段ステップフロア１７の上面と略同一高さに位置させて設けてあることを特徴とする走行車両。
【発明の詳細な説明】
【０００１】
【発明の属する技術分野】
この発明は、車輪カバ−にステップフロアを構成した走行車両に関する。
【０００２】
【従来の技術】
一般に、走行車両には車輪の上側を覆うカバ−が設けられ、そして、更に、このカバ−には車輪の上端より高い位置と低い位置とにおいて上下二段のステップフロアが構成されている。
【０００３】
【発明が解決しようとする課題】
従来のステップフロア、特に車両の後部側に設けられた上段のステップフロアは比較的狭く構成されたものであるため、特にこの後側に設けられる作業装置との関係で作業性が悪く、作業能率の低下を招く問題があった。
【０００４】
本発明は、車輪カバ−の車輪の外周に沿う傾斜部を有効利用することにより、上段ステップフロアを広くし、作業性の向上を図ることにある。
そのため、本発明は、次のような技術的手段を講じた。
【０００５】
【課題を解決するための手段】
課題解決のために本発明は次の手段を講じた。すなわち、走行車輪３を備える車体１の前部にステアリングハンドル５を有する操縦部６を設け、該操縦部６の左右両側方に予備苗を載置する苗載枠２４を設け、前記車体１の後方部に苗植付部７を昇降可能に設けた乗用田植機において、走行車輪３の上側を覆うカバ−１５には、車輪３の上端より高位の上段ステップフロア１６と車輪３の上端より低位の下段ステップフロア１７と、この上下のステップフロア１６，１７間で車輪３の外周に沿うように傾斜する傾斜部１８とを備え、該傾斜部１８の上方には上段のステップフロア１６と略同一平面内において補助ステップフロア１６ａを連設し、前記苗載枠２４は上下方向に立設する前後の支持フレ−ム２５ａ，２５ｂを備える支持装置２５で車体１側から支持され、前記前後の支持フレ−ム２５ａ，２５ｂ間にはバランスウエイト３１を係止保持するためのウエイト係止板３２を、前記下段ステップフロア１７の上面と略同一高さに位置させて設けてあることを特徴とする走行車両とした。
【０００７】
【発明の効果】
本発明によれば、走行車輪３を備える車体１の前部にステアリングハンドル５を有する操縦部６を設け、該操縦部６の左右両側方に予備苗を載置する苗載枠２４を設け、前記車体１の後方部に苗植付部７を昇降可能に設けた乗用田植機において、走行車輪３の上側を覆うカバ−１５には、車輪３の上端より高位の上段ステップフロア１６と車輪３の上端より低位の下段ステップフロア１７と、この上下のステップフロア１６，１７間で車輪３の外周に沿うように傾斜する傾斜部１８とを備え、該傾斜部１８の上方には上段のステップフロア１６と略同一平面内において補助ステップフロア１６ａを連設し、前記苗載枠２４は上下方向に立設する前後の支持フレ−ム２５ａ，２５ｂを備える支持装置２５で車体１側から支持され、前記前後の支持フレ−ム２５ａ，２５ｂ間にはバランスウエイト３１を係止保持するためのウエイト係止板３２を、前記下段ステップフロア１７の上面と略同一高さに位置させて設けたから、上段のステップフロアを広くとることができ、このステップ上でのオペレータの移動範囲が大きくなって作業性が向上し、しかもウエイト係止板３２をステップ延長面として使用できるために上段のステップフロアが広くとれることと相俟って下段ステップフロア１７の有効利用をも図ることができ、後部側に設けられる苗植付部７の苗載タンク１２への苗補給作業が容易となり、作業能率を高めることができる。
【０００８】
【発明の実施の形態】
この発明の実施例を図面に基づき説明する。
図１〜図２は、走行車両の一例として６条植乗用田植機を示すものであり、車体１の前後には走行車輪としての左右一対の前輪２，２及び後輪３，３が架設されている。後輪３，３は前輪２，２よりも大径に構成されている。記車体上前部に操作ボックス４及びステアリングハンドル５等を有する操縦部６が設けられ、車体後方部には苗植付部７によって構成される作業装置が昇降リンク機構８を介して昇降可能に装備されている。操縦部６の後側には運転席９が設置され、該運転席９下側でエンジンカバ−１０内には田植機の各部に動力を伝達するエンジン１１が搭載されている。
【０００９】
苗植付部７（作業装置）は、左右に往復動する苗載タンク１２、１株分の苗を切取って土中に植込む植込杆を有する植付装置１３、苗植付面を整地するフロ−ト１４等からなる。
前記前輪２，２及び後輪３，３上にはこれらの上側を覆うカバ−１５が設けられている。該カバ−１５は、後輪３の上端より高位の上段ステップフロア１６と後輪３の上端より低位の下段ステップフロア１７と、この上下のステップフロア１６，１７間で後輪３の外周に沿うように傾斜する傾斜部１８とからなるように構成され、そして、該傾斜部１８の上方には上段のステップフロア１６側からこれと略同一平面内において補助ステップフロア１６ａを連設することにより、該上段ステップフロア１６を実質的に幅広くした構成としている。
【００１０】
また、前記補助ステップフロア１６ａは、この前端部と下段ステップフロア１７の後端部とが上下方向鉛直線Ｙ上において略一致する関係位置まで延出させた構成としている。更に、この補助ステップフロアは補強部材１９を介して強固に連結保持させた構成である。
【００１１】
図３及び図４に示す実施例は、ステップフロアＡ，Ｂを前後に分割し、車体に対し一体的又は単独に着脱可能とし、そして、ステップフロアＢを取り外す場合は、エンジンカバ−Ｃを取り外してからステップフロアＢを取り外すように構成している。この場合、エンジンカバ−Ｃは簡単に開閉することができ、又、ワンタッチで着脱できるように構成しておくとよい。ステップフロアＡを取り外す場合は、操作ボックスＤを先に取外してから行なうか、また、これと一緒に取外すようにしてもよく、それぞれ単独で取り外すこともできる。
【００１２】
また、図５に示す実施例では、ステップフロアＡ，Ｂを左右に分割可能とし、ステアリングハンドル付操作ボックスや運転席付エンジンカバ−等からなる操作運転部Ｃを一体的にして着脱できるように構成し、そして、この中央の運転操作部Ｃを挟む左右両側にステップフロアＡ，Ｂを配置するようにして、三者を独立的に分割できる構成としている。
【００１３】
図６〜図８は、ステップフロアに対するステップマットの係止固定装置を示すもので、ステップマット２０をステップフロア１７上に敷設する際、機体側の係止杆２１に係止可能なステップ固定フック２２を介して係止固定する構成である。
【００１４】
ステップ固定フック２２はフック部２２ａと係止孔２２ｂを有する係止固定部２２ｃとからなり、フック部２２ａは前記係止杆２１に係合し、係止固定部２２ｃの係止孔２２ｂにはステップマット２０の裏側に突設した係止突起２０ａを嵌入係止する構成である。なお、このステップ固定フック２２はピン軸２３回りに回動可能な構成になっている。
【００１５】
図９はステップマットの係止固定装置における他の実施例を示すもので、ステップマット２０の裏面にステップ固定フック２２を一体的に取り付けた構成としている。
車体１の前側部で操縦装置６の左右両側方には予備苗を載置する苗載枠２４，２４を配設している。この苗載枠２４は車体１側から上方に突設する支持装置２５によって支持している（詳細は図１０〜図１２を参照）。
前記支持装置２５は、上下方向に立設する前後の支持フレーム２５ａ，２５ｂとこれらの上端部が側面視でアーチ状に連続するアーチ状支持フレーム２５ｃとからなり、そして、後側支持フレーム２５ｂは補助支持フレーム２６及び取付部材２７を介してフロントアクスルケース２８に装着支持してあり、前側支持フレーム２５ａは、少なくともその一部が後側の支持フレーム２５ｂより左右横方向の内側に変位するよう屈曲形成してあると共に、その下端部をバンパー２９のバンパーフレーム３０に装着支持している。
【００１６】
また、前後の支持フレ−ム２５ａ，２５ｂ間には、バランスウエイト３１を係止保持するためのウエイト係止板３２を装着している。このウエイト係止板３２は、ステップフロア１７の上面と略同一高さに位置させて設けてあり、バランスウエイトが無い時は、ステップ延長面として使用できるようにしてある。また、ウエイト３１搭載時は、その係止板３２の取付位置がウエイトを搭載するのに適当な高さとなり得る構成である。
【図面の簡単な説明】
【図１】走行車両（田植機）の側面図
【図２】走行車両（田植機）の平面図
【図３】別実施例の走行車両の側面図
【図４】同上要部の平面図
【図５】別実施例要部の平面図
【図６】別実施例要部の平面図
【図７】同上要部の切断側面図
【図８】同上要部の斜視図
【図９】別実施例要部の切断側面図
【図１０】別実施例の田植機要部の側面図
【図１１】同上要部の平面図
【図１２】同上要部の正面図
【符号の説明】
１…車体、３…後輪、５…ステアリングハンドル、６…操縦部、７…苗植付部、１５…カバ−、１６…上段ステップフロア、１６ａ…補助ステップフロア、１７…下段ステップフロア、１８…傾斜部、２４…苗載枠、２５…支持装置、２５ａ…前側支持フレ−ム、２５ｂ…後側支持フレ−ム、３１…バランスウエイト、３２…ウエイト係止板
【図１】
0003644349.tif 000002
【図２】
0003644349.tif 000003
【図３】
0003644349.tif 000004
【図４】
0003644349.tif 000005
【図５】
0003644349.tif 000006
【図６】
0003644349.tif 000007
【図７】
0003644349.tif 000008
【図８】
0003644349.tif 000009
【図９】
0003644349.tif 000010
【図１０】
0003644349.tif 000011
【図１１】
0003644349.tif 000012
【図１２】
0003644349.tif 000013